(57)【特許請求の範囲】
【請求項１】
移動可能な脚体と、この脚体に開口部を有する取付フレームを枢支させることにより使用位置と起立した収納位置との間でフラップ動作可能な天板と、前記天板の前記取付フレーム内に設けられこの天板を少なくとも前記使用位置にロックするためのロック機構と、前記開口部の全部または一部を塞ぐようにして設けられたハンドルとを具備してなることを特徴とするテーブル。
【請求項２】
前記ハンドルが、天板の使用縁に近い位置に設けられたものである請求項１記載のテーブル。
【請求項３】
前記ハンドルが、前記天板の使用縁と側縁とが交わるコーナー部の近傍に設けられている請求項１または２記載のテーブル。
【請求項４】
前記ハンドルが、前記天板の使用縁と一方の側縁とが交わるコーナー部の近傍、及び前記天板の使用縁と他方の側縁とが交わるコーナー部の近傍にそれぞれ設けられている請求項１、２または３記載のテーブル。
【請求項５】
前記ハンドルが、ループ状をなすものである請求項１、２、３または４記載のテーブル。
【発明の詳細な説明】
【技術分野】
【０００１】
本発明は、オフィスや会議室等に好適に用いられる、天板がフラップ動作可能であり且つ脚体が移動可能に構成されたテーブルに関するものである。
【背景技術】
【０００２】
従来、特に会議室などでは、非使用時に多くのテーブルを少ないスペースに収容することができるように、例えば使用位置にあるテーブルの天板を縦に跳ね上げて収納位置とし、他の同型のテーブルとスタックするなどして、少ないスペースにしまい込むことができる、フラップ天板式のテーブルが多く使用されている。(例えば、特許文献１参照)。このようなテーブルは、収納位置とした場合には、例えば上端に位置する天板の使用端や側縁を手で掴むことにより、好適に移動させることができる。
【０００３】
ここで、上述したようなテーブルをさらに移動させやすくするための一例として、収納位置にあるテーブルにおいて上述したような手で掴みやすい位置に把手すなわちハンドルを設けることが考えられる。しかし、当該ハンドルを設ける為には天板に新たな加工を要することや、またその目的のみの為の部品点数の追加を余儀なくといったことを招来してしまうものとなる。
【先行技術文献】
【特許文献】
【０００４】
【特許文献１】特開２００９−５０４７５号公報
【発明の概要】
【発明が解決しようとする課題】
【０００５】
本発明は、このような不具合に着目したものであり、簡素な構成でありながら移動させやすい構成を有するテーブルを提供することを目的としている。
【課題を解決するための手段】
【０００６】
本発明は、このような目的を達成するために、次のような手段を講じたものである。
【０００７】
すなわち本発明に係るテーブルは、移動可能な脚体と、この脚体に開口部を有する取付フレームを枢支させることにより使用位置と起立した収納位置との間でフラップ動作可能な天板と、前記天板の前記取付フレーム内に設けられこの天板を少なくとも前記使用位置にロックするためのロック機構と、前記開口部の全部または一部を塞ぐようにして設けられたハンドルとを具備してなることを特徴とする。
【０００８】
このようなものであれば、フラップ動作可能な天板に必須のロック機構を塞ぐ部品というそもそもこの種のテーブルには不可欠な部品を利用してハンドルを設けているため、既存のテーブルに対し部品点数の増加を要することが無い。加えてハンドルを、取付フレームを足場として設けることにより、ハンドルの取付強度も有効に担保することができる。これらにより、これまでよりも移動させ易くしたテーブルを簡素な構成で実現している。
【０００９】
また、収納位置においてより移動させやすい位置にハンドルを配置するためには、このハンドルを、天板の使用縁に近い位置に設けることが望ましい。
【００１０】
そして特にこの種のテーブルにおいて取付フレームやロック機構が配置される位置から無理なく簡単にハンドルを設け、且つそのハンドルが扱いやすいものとするためには、ハンドルを、天板の使用縁と側縁とが交わるコーナー部の近傍に設けておくことが好ましい。
【００１１】
特に収納位置としたテーブルを、テーブルを移動させる作業者が無理なく扱い得るようにするためには、このハンドルを、前記天板の使用縁と一方の側縁とが交わるコーナー部の近傍、及び前記天板の使用縁と他方の側縁とが交わるコーナー部の近傍にそれぞれ設けておくことが望ましい。
【００１２】
テーブルの使用者やテーブルを移動させる作業車の姿勢や体制に拘わらずテーブルを移動させやすくする為のハンドルの形状を鑑みれば、このハンドルを、ループ状をなすように構成することが好ましい。
【発明の効果】
【００１３】
本発明によれば、簡素な構成でありながら移動させやすい構成を有するテーブルを提供することができる。
【図面の簡単な説明】
【００１４】
【図１】本発明の一実施形態に係る外観図。
【図２】同正面図。
【図３】同要部の外観図。
【図４】同右側面図。
【図５】同他の右側面図。
【図６】図２に係る要部のＸ−Ｘ線断面図。
【図７】図６に係る動作説明図。
【図８】同実施形態に係る要部の分解斜視図。
【図９】同実施形態に係る要部の右側面図。
【図１０】図９に係る要部の作用説明図。
【図１１】同実施形態に係る要部の構成説明図。
【図１２】図１１に係る動作説明図。
【図１３】図９に係るＹ−Ｙ線断面図。
【図１４】同Ｚ−Ｚ線断面図。
【図１５】同実施形態に係る要部の外観図。
【図１６】図１５に係る動作説明図。
【発明を実施するための形態】
【００１５】
以下、本発明の一実施形態を図１〜図１６を参照して説明する。
【００１６】
このテーブルＴは、図１〜図５に示すように、天板２を使用位置（Ｐ）と起立した収納位置（Ｑ）との間でフラップ動作させることができるとともに、少なくとも前記使用位置（Ｐ）において前記天板２をフラップ動作不能にロックすることができるようにしたものである。すなわち、このテーブルＴは、左右対をなす移動可能な脚体１と、これら脚体１に開口部２１１を有する取付フレーム２１を枢支させることにより使用位置（Ｐ）と起立した収納位置（Ｑ）との間でフラップ動作可能な天板２と、前記天板２の前記取付フレーム２１内に設けられこの天板２を少なくとも前記使用位置（Ｐ）にロックするためのロック機構２２と、前記開口部２１１の一部を塞ぐようにして設けられたハンドル２３とを主体に構成されたものである。
【００１７】
各脚体１は、同図に示すように、脚ベース３と、この脚ベース３の中間位置に立設した支柱４と、この支柱４の上端部４ａにビスを介して止着された支持部材９とを具備してなる。左右の脚体１は、前記支持部材９間に架設した横架材Ｓにより剛結されている。脚ベース３は、ベース本体５と、このベース本体５の使用端２ａ側に装着された第一のキャスタ６と、前記ベース本体５の反使用端２ｂ側に装着された第二のキャスタ８とを備えたものである。
【００１８】
ベース本体５は、図１、図２、図４、図５、図９及び図１０に示すように、キャスタ収容空間５５、５６を形成すべく下縁が切り欠かれた形状をなす使用端側のキャスタ取付部５１及び反使用端側のキャスタ取付部５２を備えたものであり、前記使用端側のキャスタ取付部５１に前記第一のキャスタ６が旋回可能に取り付けられているとともに、前記反使用端側のキャスタ取付部５２に前記第二のキャスタ８が旋回可能に取り付けられている。詳述すれば、ベース本体５は、板金素材を主体に構成されたものであり、少なくとも前記キャスタ取付部５１、５２に、その素材端面を覆う樹脂製のカバー５７、５８を備えている。具体的には、ベース本体５は、板金素材を下方に開口するチャネル状に成形したもので、各キャスタ取付部５１、５２にはナット５１ａ、５１ｂを有したキャスタ取付座５１ａ、５２ａが溶接等により固設されているとともに、中間部５３には、前記支柱４を補強するための支柱補強板５３ａが取り付けられている。ベース本体５の天壁５４は、上方に膨出するような湾曲形状をなしている。また、前記使用端側のキャスタ収容空間５５は、操作部材７に対する操作を常時可能にするだけの大きさを備えている。反使用端側のキャスタ収容空間５６は、第二のキャスタ８の旋回動作を許容するのに必要かつ十分な大きさに設定されている。使用端２ａ側のキャスタ収容空間５５に面する第一のカバー５７は、素材端面を含みベース本体５の使用端側のキャスタ取付部５１の下面全域を覆うカバー本体５７ａと、このカバー本体５７ａに一体に設けられベース本体５の使用端２ａ側の端面を覆う先端キャップ５７ｂとを備えている。反使用端２ｂ側のキャスタ収容空間５６に面する第二のカバー５８は、素材端面を含みベース本体５の反使用端２ｂ側のキャスタ取付部５２の下面全域を覆うカバー本体５８ａと、このカバー本体５８ａに一体に設けられベース本体５の反使用端２ｂ側の端面を覆う先端キャップ５８ｂとを備えている。
【００１９】
第一のキャスタ６は、図９〜図１６に示すように、取付軸６１に対して旋回動作可能なキャスタ本体６２と、このキャスタ本体６２に軸着された車輪６３と、操作部材７を下位置（Ｄ）に操作した場合に前記車輪６３を前記キャスタ本体６２に対してロックするとともに、前記操作部材７を上位置（Ｕ）に操作した場合にそのロック状態を解除するように構成されたブレーキ機構６４とを具備してなる。なお図１１は、第一のキャスタ６において片方の車輪６３を取り外して示す構成説明図である。キャスタ本体６２は、前記ベース本体５のキャスタ取付座５１ａに取り付けられた取付軸６１に対して水平方向に旋回可能に構成されたもので、前記車輪６３を支持するための支軸６２ａを備えており、その支軸６２ａの両端に対をなす車輪６３をそれぞれ回転可能に設けている。ブレーキ機構６４は、水平な軸７５ｂを介してキャスタ本体６２に上下方向に回動可能に支持された操作部材７と、この操作部材７の回動に伴って車輪６３のリム６３ａの内周に対して接離するピン状の係止部材６６と、この係止部材６６と係合すべく前記リム６３ａの内周に設けられた内歯歯車６５と、前記操作部材７を上位置（Ｕ）または下位置（Ｄ）に安定保持するための節度部材６７とを具備してなる。操作部材７は、上下方向に間隔をあけて配された上操作片７３及び下操作片７４を備えたものであり、前記車輪６３がキャスタ本体６２に対してロックされる下位置（Ｄ）において前記下操作片７４が床面に対して起立したような姿勢で近接するように構成されている。詳述すれば、操作部材７は、基端部７５が軸７５ｂを介して前記キャスタ本体６２に支持されたアーム部７１と、このアーム部７１の回動端に設けられた板状をなす中間部７２と、この中間部７２の上側に設けられた上操作片７３と、前記中間部７２の下側に設けられた下操作片７４とを具備してなるもので、合成樹脂により一体に形成されている。上操作片７３は、下位置（Ｄ）において下を向く面を主操作面７６として操作されるようになっており、下操作片７４は、上位置（Ｕ）において上を向く面を主操作面７８として操作されるようになっている。そして、下操作片７４の主操作面７８は、下位置（Ｄ）において床面に対してほぼ起立した姿勢をなすように設定されている。そして、この主操作面７８には、操作を促すとともに、操作時の滑りを抑制するための凹凸７８ａが設けられている。一方、前記上操作片７３は、前記車輪６３がキャスタ本体６２に対してロックされる下位置（Ｄ）においてほぼ水平姿勢になるよう構成されている。すなわち、上操作片７３の主操作面７６は、下位置（Ｄ）において下を向くように設定されている。そして、前記上操作片７３の前記下位置（Ｄ）において上を向く面、すなわち、前記主操作面７６に対する裏側の面７７にロック状態である旨を示す表記７７ａが施されている。具体的には「ＬＯＣＫ」という文字が記載されている。なお、上操作片７３、下操作片７４及び中間部７２の幅寸法は、当該第一のキャスタ６の全幅寸法に近い値に設定してある。係止部材６６は、前記操作部材７の基端部７５における前記軸から偏心した位置に貫設されたピン状のもので、その両端部を両車輪６３のリム６３ａの内周に臨ませている。そして、操作部材７が下位置（Ｄ）に操作された場合に係止部材６６が車輪６３のリム６３ａ方向に移動して内歯歯車６５に係り合うようになっており、それによって、前記両車輪６３がキャスタ本体６２に対してロックされるようになっている。一方、操作部材７が上位置（Ｕ）に操作された場合には、係止部材６６が車輪６３のリム６３ａから離れる方向に移動しそのロック状態が解除されるようになっている。節度部材６７は、キャスタ本体６２に一体に形成された板バネ状のもので、操作部材７のアーム部７１の基端部７５外周に形成されたカム面７５ａに弾接して節度機能を発揮し得るようにしたものである。
【００２０】
第二のキャスタ８は、図１、図４、図５及び図９に示すように、取付軸８１に対して旋回動作可能なキャスタ本体８２と、このキャスタ本体８２に軸着された車輪８３とを備えたもので、前述したブレーキ機構６４を備えていないものである。
【００２１】
支柱４は、図１〜図８に示すように、例えばパイプ状をなす金属製のもので、脚ベース３の天壁５４及び支柱補強板５３ａに溶接等により取り付けられている。
【００２２】
支持部材９は、図６、図７及び図８に示すように、例えば厚板板金製のもので、天板２を使用位置（Ｐ）にロックするための第一係止部９１と、天板２を収納位置（Ｑ）に保持するための第二係止部９２とを備えている。
【００２３】
しかして本実施形態に係るテーブルＴは上述の通り、ハンドル２３が、ロック機構を収容している取付フレーム２１の開口部２１１の全部または一部を塞ぐようにして設けられていることを特徴とする。以下、天板２の構成を説明するにあたり、当該ハンドル２３について詳述する。
【００２４】
天板２は、図１〜図８に示すように、例えば長方形状をなす天板本体２０の左右の両端部下面にそれぞれ取付フレーム２１を固着したものである。
【００２５】
取付フレーム２１は、図３〜図８に示すように、天板２の下面に図示しないビス等により止着されたベース壁２１２と、このベース壁２１２の左右両側縁からそれぞれ垂下させた内側壁２１３及び外側壁２１４とを備えたもので、前記内側壁２１３の下縁と外側壁２１４の下縁との間に下方に開放された開口部２１１が形成されている。取付フレーム２１の外側壁２１４は、主軸２１５を介して前記脚体１の支持部材９に回動可能に軸着されている。
【００２６】
ロック機構２２は、図３〜図８に示すように、前記脚体１の支持部材９に設けられた第一係止部９１及び第二係止部９２のいずれかに選択的に係り合う係合子２２２と、この係合子２２２を支持部材９方向に付勢するバネ２２５と、このバネ２２５の付勢力に抗して前記係合子２２２を操作するためのレバー２２３と、このレバー２２３の動きを前記係合子２２２に伝達するための伝動機構２２４とを具備してなる。係合子２２２は、軸２２１を介して取付フレーム２１の外側壁２１４に支持されたもので、先端部が前記支持部材９に対して接離するように回動する。本実施形態においては、右側の取付フレーム２１内及び左側の取付フレーム２１内にそれぞれロック機構２２が設けられており、右の取付フレーム２１内の係合子２２２と左の取付フレーム２１内の係合子２２２とは、連動部材Ｒを介して連動し得るように結合されている。
【００２７】
そしてレバー２２３は、図３、図６〜図８に示すように、前記天板２の下面における使用端２ａに近い位置に設けられるロック解除用のもので、前記天板２に接離する方向に回動するようになっている。詳述すれば、前記レバー２２３は、前記天板２の使用端２ａと側縁２ｄとが交わるコーナー部２ｃの近傍に設けられており、前記取付フレーム２１の内側壁２１３及び外側壁２１４に回転可能に支持された回転軸２２７に固着されている。レバー２２３は、例えば合成樹脂により成形されたもので、先端側が漸次天板２から離れる方向に湾曲した湾曲凹部２２３ａと、天板２の側端２ｄよりの端部を上方へカーブさせて設けたアール部２２３ｂとを有している。この湾曲凹部２２３ａにより、使用者は指だけでなく手の甲により上方に押圧してレバー２２３を回動操作できるようになっている。またアール部２２３ｂにより、使用者は掌で湾曲凹部２２３ａを押圧した場合、その状態から違和感なく天板２の側縁２ｄすなわち使用端２ａ側のコーナー部２ｃを掴んだ状態で天板２を少ない力でフラップ動作させることができる。
【００２８】
伝動機構２２４は、前記レバー２２３と一体に回転する前記回転軸２２７と、基端をその回転軸２２７に固着した回動アーム２２８と、この回動アーム２２８に一端を枢着するとともに他端を前記係合子２２２の中間部分に枢着したリンクメンバ２２９とを具備してなるもので、前記レバー２２３を天板２に接近する方向に回動操作して、前記回動アーム２２８を前記回転軸２２７とともに回転させて前記リンクメンバ２２９により前記係合子２２２を牽引することによって、前記係合子２２２が前記バネ２２５の付勢力に抗して前記支持部材９から離れる方向に回動するようになっている。伝動機構２２４は、前記係合子２２２と同様に左右の取付フレーム２１内に配されており、これに対応して前記レバー２２３も、前記天板２の使用端と一方の側縁２ｄとが交わるコーナー部２ｃの近傍、及び前記天板２の使用端２ａと他方の側縁２ｄとが交わるコーナー部２ｃの近傍にそれぞれ設けられている。以上のようにしてなる取付フレーム２１の開口部２１１は、前記ハンドル２３及びカバー２４により塞がれている。
【００２９】
ハンドル２３は、図１〜図８に示すように、前記開口部２１１の一部、すなわち前半部分を塞ぐようにして設けられたループ状をなす合成樹脂製のものである。具体的には、ハンドル２３は、ハンドル本体２３１と、このハンドル本体２３１に一体に設けられ前記開口部２１１を塞ぐ閉塞部２３２と、この閉塞部２３２の一側縁から内側壁２１３の外面に沿って天板２方向に伸びる延出部２３３と、この延出部２３３の先端縁に一体に設けられ天板２の下面に添接される取付部２３４とを備えたものであり、前記取付部２３４がビス等により天板２に止着されることにより天板２に固定されている。ハンドル本体２３１の反使用端２ｂ側には、前記カバー２４の使用端の浮き上がりを防止するためのカバー位置決め部２３５が設けられている。具体的には、カバー位置決め部２３５は、例えば多角形の開口形状をなした凹陥部からなる。ハンドル２３は、前記レバー２２３に隣接させて天板２の使用端２ａに近い位置に設けられたもので、具体的には、前記天板２の使用端２ａと側縁２ｄとが交わるコーナー部２ｃの近傍に設けられている。すなわち、手を掛けることができるハンドル２３は、近接するレバー２２３よりも左右方向中央寄りに配置されたものであり、そのレバー２２３の近接する位置に前記使用位置（Ｐ）においてこのレバー２２３よりも下方に突出する寸法を備えている。換言すれば、このハンドル２３は、使用者の脚等によりレバー２２３が誤操作されるのを抑制するための保護突部としての役割をなしている。ハンドル２３は、前記左右のレバー２２３に対応させてそれぞれその近傍に設けられており、具体的には、左右のハンドル２３は、前記天板２の使用端２ａと一方の側縁２ｄとが交わるコーナー部２ｃの近傍、及び前記天板２の使用端２ａと他方の側縁２ｄとが交わるコーナー部２ｃの近傍にそれぞれ設けられている。
【００３０】
カバー２４は、図１〜図８に示すように、前記開口部２１１の一部、すなわち後半部分を塞ぐようにして設けられた合成樹脂製のものである。具体的には、カバー２４は、取付フレーム２１における下向きの開口部２１１を塞ぐ下閉塞部２４１と、この下閉塞部２４１の内側縁から天板２方向に延出する側方閉塞部２４２と、この側方閉塞部２４２の先端縁における反使用端２ｂ側に一体に設けられ天板２の下面に添接される取付部２４３とを備えたものであり、前記取付部２４３がビス等により天板２に止着されることにより天板２に固定されている。下閉塞部２４１は、中空箱形のもので、その外面は前記ハンドル２３の外面と連続するように成形されており、その使用端２ａ側の端面には、前記ハンドル２３のカバー位置決め部２３５に係わり合う係合部２４４が設けられている。具体的には、この係合部２４４は、前記カバー位置決め部２３５に嵌合する多角柱状の突起である。下閉塞部２４１には、前記支持部材９との干渉を回避するためのスリット２４５が設けられている。また、側方閉塞部２４２には、前記横架材Ｓとの干渉を回避するための第一の切欠部２４６と、前記連動部材Ｒとの干渉を回避するための第二の切欠部２４７とが設けられている。
【００３１】
なお、本実施形態においては、天板２の反使用端２ｂの近傍に幕板Ｍが設けられている。幕板Ｍは、平板状のもので、この上端縁Ｍ１を天板２に設けたブラケット２６の先端に枢支させるとともに、下端縁Ｍ２をリンクメンバ４１を介して支柱４に支持させている。この幕板Ｍの動きについては、通常のものと同様であるため、説明を省略する。また、天板２の下面側には、湾曲させたパイプを取り付けることにより、荷物受け２５が設けられている。
【００３２】
以上のようにしてなるテーブルＴにおいては、前記第一のキャスタ６の操作部材７及びレバー２２３には、当該テーブルＴに施されている色調とは異なった色調の色彩が施されている。具体的には、このテーブルＴは、主にシルバー及びグレーを基調として色彩デザインが施されているが、前記操作部材７及びレバー２２３には、黄色の色彩が施されている。
【００３３】
ここで、本実施形態に係るテーブルＴは、図１〜８に示す通り、ハンドル２３を天板２の両コーナー部２ｃに設けるとともにこれらハンドル２３よりもそれぞれ若干側縁２ｄよりの位置にレバー２２３を設けているので、ハンドル２３により収納位置（Ｑ）にあるテーブルＴの持ち運びが便利なだけでなく、レバー２２３を操作する際には、もう片方の手でハンドル２３を掴みながら天板２をフラップ動作させることができるので、使用者の腕力の如何に拘わらず、無理なくレバー２２３操作から天板２のフラップ動作という一連の動作を行なうことができる。
【００３４】
以上のような構成とすることにより、本実施形態に係るテーブルＴは、フラップ動作可能な天板２に必須のロック機構２２を収容している取付フレーム２１の開口部２１１の一部を塞ぐようにしてハンドル２３を設けているので、既存のテーブルＴに対し部品点数の増加を強いることなく移動させやすいテーブルＴを簡素な構成で実現し得たものとなっている。特に本実施形態では取付フレーム２１の形状を利用して、換言すれば取付フレーム２１を足場としてハンドル２３を取り付けることにより、ハンドル２３の取付強度を有効に担保し得たものとなっている。
【００３５】
また、収納位置（Ｑ）においてより移動させやすい位置にハンドル２３を配置するために本実施形態では、このハンドル２３を、天板２の使用端２ａに近い位置に設けたものとして、収納位置（Ｑ）ではハンドル２３をテーブルＴの最上部に位置付け、収納位置（Ｑ）での簡便且つ速やかな移動を実現している。
【００３６】
そして特にこの種のテーブルＴにおいて取付フレームやロック機構２２が配置される位置から無理なく簡単にハンドル２３を設け、且つそのハンドル２３が扱いやすいものとするために本実施形態では、ハンドル２３を、天板２の使用端２ａと側縁２ｄとが交わるコーナー部２ｃの近傍に設けている。
【００３７】
特に収納位置（Ｑ）としたテーブルＴを、テーブルＴを移動させる作業者が無理なく扱い得るようにするために本実施形態では、このハンドル２３を、前記天板２の使用端２ａと一方の側縁２ｄとが交わるコーナー部２ｃの近傍、及び前記天板２の使用端２ａと他方の側縁２ｄとが交わるコーナー部２ｃの近傍にそれぞれ設けている。
【００３８】
特に、テーブルＴの使用者やテーブルＴを移動させる作業車の姿勢や体制に拘わらずテーブルＴを移動させやすくする為のハンドル２３の形状を鑑みて本実施形態では、このハンドル２３をループ状をなすように構成している。斯かる構成により、使用やはハンドル２３を外から掴んだり内側から指を引っかけたり、さらにはループの一部をなすハンドル２３本体を外側から押すなど、様々な姿勢でハンドル２３を取り扱うことができ、収納位置（Ｑ）におけるテーブルＴの移動をより快適なものとすることを実現している。
【００３９】
以上、本発明の実施形態について説明したが、各部の具体的な構成は、上述した実施形態のみに限定されるものではなく、本発明の趣旨を逸脱しない範囲で種々変形が可能である。
【００４０】
例えば、上記実施形態では取付フレームの開口部の一部をハンドルが塞ぐ態様を開示したが、勿論、カバーとハンドルとを一体に構成し、開口部の前部を塞ぐようにしたものであってもよい。またハンドルの具体的な形状やハンドルの数等の具体的な態様は上記実施形態のものに限定されることはなく、既存のものを含め、種々の態様のものを適用することができる。
【００４１】
その他、各部の具体的構成についても上記実施形態に限られるものではなく、本発明の趣旨を逸脱しない範囲で種々変形が可能である。
【産業上の利用可能性】
【００４２】
本発明はオフィスや会議室等に好適に用いられる、天板がフラップ動作可能であり且つ脚体が移動可能に構成されたテーブルとして利用することができる。
【符号の説明】
【００４３】
１…脚体
２…天板
２ａ…使用縁
２ｃ…コーナー部
２ｄ…側縁
２１…取付フレーム
２１１…開口部
２２…ロック機構
２３…ハンドル
Ｐ…使用位置
Ｑ…収納位置
Ｔ…テーブル
【図１】
0005816876.tif 000002
【図２】
0005816876.tif 000003
【図３】
0005816876.tif 000004
【図４】
0005816876.tif 000005
【図５】
0005816876.tif 000006
【図６】
0005816876.tif 000007
【図７】
0005816876.tif 000008
【図８】
0005816876.tif 000009
【図９】
0005816876.tif 000010
【図１０】
0005816876.tif 000011
【図１１】
0005816876.tif 000012
【図１２】
0005816876.tif 000013
【図１３】
0005816876.tif 000014
【図１４】
0005816876.tif 000015
【図１５】
0005816876.tif 000016
【図１６】
0005816876.tif 000017